(57)【要約】【課題】必要な高さに変えられる膜式建屋を提供する。【解決手段】高さを変えられる柱２の頂部から伸びるワイヤ１０ａ，１０ｂ，１０ｃ，１０ｄによってフレーム４ａを吊り下げ、柱２の頂部とフレーム４ａ，４ｂによってビニールシート等の膜材を展開する。柱２の高さを変えることで膜式建屋の高さが変化する。上部フレーム４ａと下部フレーム４ｂを用意すると、側面の高さが変わる膜式建屋が得られる。高所作業なしで設営や維持管理ができるとともに、内部作業時には膜式建屋を高くして作業空間を確保し、作業終了後は膜式建屋を低くして暖房容積を減じるといったことができる。【選択図】図１
2016196786.tif 000002
【特許請求の範囲】
【請求項１】
高さが可変な柱と、
前記柱の頂点から吊り下げられており、前記柱が伸長すると展開して内外を仕切る膜材を備えている膜式建屋。
【請求項２】
高さが可変な柱と、
前記柱を取り囲む位置に配置されているとともに膜式建屋を平面視したときの形状を規定するフレームと、
吊り上げたときにフレームが傾かないフレームの３箇所以上と前記柱の頂部を接続するワイヤと、
伸長した前記柱の頂部と前記フレームで構成される立体形状の各面を塞ぐ範囲と、収縮した前記柱の頂部と前記フレームで構成される立体形状の各面を塞ぐ範囲のブーリアン和を含む範囲に広がっている膜材によって形成される膜式建屋。
【請求項３】
前記フレームを平面視したときの形状が、長方形と正方形と正六角形のうちのいずれかであることを特徴とする請求項２に記載の膜式建屋。
【請求項４】
フレーム内に存在する柱の本数が複数本であることを特徴とする請求項２または３の膜式建屋。
【請求項５】
前記フレームが、少なくとも上部フレームと下部フレームを含む複数フレームに分割されていることを特徴とする請求項２〜４のいずれかの一項に記載の膜式建屋。
【請求項６】
前記フレームの一部に床を張ることにより複数の階を有する請求項５に記載の膜式建屋。
【発明の詳細な説明】
【技術分野】
【０００１】
本明細書では、高さが可変な膜式建屋を開示する。
【背景技術】
【０００２】
例えばビニールハウスのように、内側に配置したフレームによって膜材を展開し、展開した膜材によって屋根や外壁を構成する建屋が知られている。建屋の外側に向けて膜材を引き寄せることによって膜材を展開し、展開した膜材によって建屋の内外を仕切る構造体も知られている。本明細書でいう膜式建屋は、展開した膜材によって内外を仕切る構造物をいう。
【０００３】
現状で普及している膜式建屋は、山型やアーチ状のフレームを並べ、その外側にビニールシート等の膜材を被せた構造となっている。すなわちフレーム列によって膜材を内側から展開する構造を採用している。
テントの中には、アーチ状のフレームの内側にテントを展開するものがある。すなわちテント地の複数箇所に引き寄せ部を設けており、その引き寄せ部をテントの外側に配置されているアーチに向けて引き寄せてテント地を展開してテントを完成する。
【先行技術文献】
【特許文献】
【０００４】
【特許文献１】特開２０１３−１５８３０６号公報
【発明の概要】
【発明が解決しようとする課題】
【０００５】
上記の膜式建屋では高さが固定されている。その結果、下記の問題が発生している。
（１）建屋の設営時に高所作業が必要となる。例えばビニールハウスの場合、人が内部で作業できるだけの高さが必要とされ、それだけの高さを持つフレームに膜材を被せる必要がある。そのために、高所作業が必要となり、農家にとって大きな負担となっている。
（２）建屋の維持管理にも高所作業が必要となる。例えば、ビニールハウスの場合、ビニールシートの交換時に高所作業が必要となる。
（３）必要な高さに調整できない。例えばビニールハウスの場合、ホウレンソウ等の丈が低い植物を栽培しているにも関わらず、膜式建屋内で作業する必要があることから、人が立てる高さの膜式建屋を利用している。植物が必要とする容積よりも大容積の膜式建屋となっており、例えば暖房が必要な時期には、無駄な空間を無駄に暖房する無駄が生じる。作業終了後に膜式建屋を低くして植物が必要とする小容積に変形させることができれば、無駄な空間を無駄に暖房する無駄をなくせる。同様に、強風が予想されるときでも人が立てる高さのままであることから、膜式建屋はしばしば風によって破壊される。強風が予想されるときに膜式建屋を低くすることができれば、受風面積が減少し、風によって破壊される現象に対処することが可能となる。あるいは、ねぎやトマトといった植物は、生育に伴って丈が伸びる。そのために、生育後の植物の丈に合わせた高さの膜式建屋を必要とする。その結果、植物の丈が短い時期には、前記した無駄や危険性が生じる。
【０００６】
本明細書では、高さを変えることができる膜式建屋を提供し、前記した問題点を解決する。
【課題を解決するための手段】
【０００７】
本明細書で開示する技術では、高さを変える柱を用いる。例えばカメラを支える三脚の構造を備えた柱を用意する。開閉する各脚の長さを調整することによって、高さを変えられる範囲を調整することができる。あるいは、複数個の三脚構造を高さ方向に接続することで、高さを変えられる範囲を調整することができる。リンク機構を上下方向に連続させることで高さを変える柱を構成することもできる。筒状の柱の内部にそれよりも小径の筒状の柱を収容しておき、内側の柱を上方に伸ばすことによっても高さを変える柱を実現することもできる。ビルの建築現場では、筒状の柱の複数本を同心状に収容しておき、建築階の上昇とともに内側の柱を上方に伸ばす技術が採用されている。部材のサイズと形状を選定することによって、高さを変える柱の強度を調整することができ、膜式建屋を支えるのに必要な強度に調整することができる。本明細書に記載する技術で利用する高さを変える柱は、特定の構造に限定されるものでない。
【０００８】
高さを変える柱の頂点から膜材を吊り下げておくと、柱が伸長すると膜材が展開して建屋の内外を仕切る壁等になる構造を得ることができる。
この膜式建屋によると、高所作業をすることなく、高さが高い膜式建屋を設営することができる。また、高所作業をすることなく、必要な高さに変形させることができる。
【０００９】
本明細書に記載の技術の一つの具体的な形態では、膜式建屋を平面視したときの形状を規定するフレームを用いる。例えば、通常の建築物の屋根を平面視したときの形状を規定するフレームを用いる。あるいは通常の建築物の床を平面視したときの形状を規定するフレームを用いる。フレームは、高さを変える柱を取り囲む位置におかれる。フレームを吊り上げるときに、１点または２点で吊り上げるとフレームが傾く。それに対して３点で吊り上げるとフレームが傾くことを防止できる。吊り上げる３点を結ぶ三角形内にフレームの重心が位置していれば、フレームは傾かない。
本明細書に記載の技術の一つの具体的な形態では、フレームの上記３箇所（傾かない３箇所）と柱の頂部を接続するワイヤを用いる。ここでいうワイヤは、ロープ・ひも・コード・帯・鎖等のテンションを掛けられるものを総称するものである。狭義のワイヤには限定されない。また少なくとも前記３箇所を接続することが必要であり、それ以外の位置にまで接続することを排除するものでない。
本明細書に記載の技術の一つの具体的な形態では、柱の頂部とフレームで構成される立体形状の各面をビニールシート等の膜材で塞ぐ。この技術では、柱が高さを変えることから、前記立体形状が固定されていない。高くした柱による場合の立体形状（便宜的に高位置立体形状という）と、低くした柱による場合の立体形状（便宜的に低位置立体形状という）は相違する。
高位置立体形状の各面を塞ぐのに必要なビニールシート等の膜材の広がり範囲（便宜的に高位置シート範囲という）は特定可能である。同様に、低位置立体形状の各面を塞ぐのに必要なビニールシート等の膜材の広がり範囲（便宜的に低位置シート範囲という）も特定可能である。
本明細書に記載の技術では、高位置シート範囲と低位置シート範囲のブーリアン和を計算し、少なくともブーリアン和の範囲に広がっているビニールシート等の膜材を用いる。ここでいうブーリアン和の範囲とは、高位置シート範囲と低位置シート範囲の一方または双方に含まれる範囲をいう。
【００１０】
上記の膜式建屋は、柱の高さを変えることで膜式建屋の高さを変える。膜式建屋は、高位置立体形状と低位置立体形状の間で変形する。上記の膜式建屋では、前記のブーリアン和の範囲に広がっているビニールシート等の膜材を利用するので、高位置立体形状となっても低位置立体形状となっても、膜式建屋の外面をビニールシート等の膜材で塞ぐことができる。
【００１１】
上記の膜式建屋によると、必要な高さに調整でき、無駄な空間を無駄に暖房する無駄を排除し、強風によって破壊されるといった問題を解決することができる。また、建屋の設営または高さの調整作業に際して、高所作業が必要とされない。
【００１２】
フレームは１段であってもよい。この場合、側面のない膜式建屋（屋根のみからなる膜式建屋）が形成される。
側面のある膜式建屋を形成するためには、フレームを、上部フレームと下部フレームを含む複数フレームに分割する。上部フレームと下部フレーム間に中間フレームがあってもよい。上部フレームと下部フレームに分割されていると、側面の高さが変わる膜式建屋を得ることができる。
【００１３】
１個のフレームのみで形成される小型膜式建屋を実現することもできれば、複数のフレームが水平方向に連続する大型の膜式建屋を実現することもできる。後者のためには、平面視したときの形状が、長方形と正方形と正六角形のうちのいずれかであるフレームを利用することが好ましい。いずれかであると、隣接するフレームが隙間なく連続する構造を得ることができる。
【００１４】
フレーム内に存在する柱の本数は、１本であってもよいが、複数本であってもよい。複数本の柱を配置すると、柱を高くするにつれて膜材にテンションがかかる構造を実現しやすい。
【図面の簡単な説明】
【００１５】
【図１】第１実施例の膜式建屋の高さを高くした状態を示す。
【図２】図１の正面図を示す。
【図３】図１の側面図を示す。
【図４】高さを変える柱の基部を示す。
【図５】第１実施例の膜式建屋の高さを低くした状態を示す。
【図６】第２実施例の膜式建屋の高さを高くした状態を示す。
【図７】第３実施例の膜式建屋の高さを高くした状態を示す。
【図８】第３実施例の膜式建屋の高さを低くした状態を示す。
【図９】第３実施例の膜式建屋のための膜材の形状を示す。図１０と図１２の白抜き範囲のブーリアン和を含んでいる。
【図１０】高さを低くしたときに必要な範囲と不要な範囲を示す。
【図１１】必要な範囲にテンションをかけ、不要な範囲を巻込む様子を模式的に示す。
【図１２】高さを高くしたときに必要な範囲と不要な範囲を示す。
【図１３】必要な範囲にテンションをかけ、不要な範囲を束ねる様子を模式的に示す。
【図１４】複数本の柱で吊り下げる第４実施例の膜式建屋を示す。
【図１５】複数のフレームを並置した第５実施例の膜式建屋を示す。
【発明を実施するための形態】
【００１６】
以下、本明細書で開示する技術の特徴を整理する。なお、以下に記す事項は、各々単独で技術的な有用性を有している。
（第１特徴）上下方向に接続したリンク構造で高さを変える柱を構成する。
（第２特徴）三脚によって高さを変える柱を構成する。
（第３特徴）不要な範囲のビニールシート等の膜材を巻き込む。
（第４特徴）不要な範囲のビニールシート等の膜材を束ねる。
（第５特徴）地面での作業によって柱が高さを変える。
（第６特徴）高さを変える柱は、最低高さと最高高さの間の任意の中間高さに固定することができる。
（第７特徴）高さを変える柱の下端は常時に接地しており、地面から持ち上げる必要がない。
（第８特徴）高さを変える柱は自立している。最低高さに調整した場合も自立し、最高高さに調整した場合も自立し、中間高さに調整した場合も自立している。ここでいう自立とは、強風が作用した場合を除いて自立することをいう。自立している柱であることから、高さの調整作業が簡単化できる。柱単独では自律できなくても、膜材にかかるテンションと相俟って柱が自立するものであってもよい。高さを変える作業中に、柱が倒れないようにする作業を要しないものであれば、高さの調整作業が容易化される。
【実施例】
【００１７】
（第１実施例）
第1実施例の膜式建屋は、図１と図５に示すように、高さを変える柱２と、上部フレーム４ａと、下部フレーム４ｂを備えている。図１は、柱２を高くした状態での膜式建屋の外観斜視図を示し、図５は、柱２を低くした状態を示している。図２は、図１の膜式建屋の正面図を示し、図３は側面図を示している。
上部フレーム４ａと下部フレーム４ｂは、平面視したときに長方形をしており、膜式建屋を平面視したときの外形形状を規定する。柱２はフレーム４ａ，４ｂの内側に位置している。
参照番号１０ａ，１０ｂ，１０ｃ，１０ｄは、上部フレーム４ａの頂点と、柱２の頂部を接続するワイヤである。柱２を高くのばすと、ワイヤ１０ａ〜１０ｄによって上部フレーム４ａが持ち上げられる。ワイヤ１０ａ〜１０ｄの長さは互いに等しく、上部フレーム４ａは水平姿勢を保って持ち上げられる。参照番号１２ａ，１２ｂ，１２ｃ，１２ｄと、１４ａ，１４ｂ，１４ｃ，１４ｄは、上部フレーム４ａと下部フレーム４ｂを結ぶワイヤである。各頂点に対して２組のワイヤ１２，１４を配置することで、平面視したときに上部フレーム４ａの頂点と下部フレーム４ｂの頂点がずれないようにしている。
図１は、柱２を最大に伸ばしたときに得られる高位置立体形状状態を示し、ワイヤ１０ａ〜１０ｄ，１２ａ〜１２ｄ，１４ａ〜１４ｄの全部にテンションがかけられる。下部フレーム４ｂまで持ちあがることはない。ビニールシート等の膜材は、屋根を構成する４面６ａ，６ｂ，６ｃ，６ｄと、側面を構成する４面８ａ，８ｂ，８ｃ，８ｄで構成されている。ビニールシート等の膜材は、前記した８面６ａ〜６ｄと８ａ〜８ｄを塞ぐだけの大きさと形状を備えている。図１に示すように、柱２を最大に伸ばした状態では、ビニールシート等の膜材の全部の面にテンションが作用する。膜式建屋は、ワイヤとビニールシート等の膜材に作用するテンションによって高位置立体形状を維持する。
【００１８】
図５は、低位置立体形状を示し、柱２の高さが縮められ、上部フレーム４ａが下降し、下部フレーム４ｂに接近する。この状態では、ワイヤ１２ａ〜１２ｄ，１４ａ〜１４ｄが撓み、側面を構成する４面８ａ〜８ｄにおいてビニールシート等の膜材が緩む。ワイヤ１２ａ〜１２ｄ，１４ａ〜１４ｄの中間部には、ワイヤの両端間距離を縮める金具等を配置しておくことが好ましい。それによって、低位置立体形状でもワイヤ１２ａ〜１２ｄ，１４ａ〜１４ｄにテンションがかかるようにできる。低位置立体形状をとることで緩んだ、側面８ａ〜８ｄを構成するビニールシート等の膜材は、下部フレーム４ｂに沿って束ねておくことでもよいが、下部フレーム４ｂに、余分なビニールシート等の膜材を巻き取るローラを設置しておいてもよい。ビニールシートを巻き取ることによって、低位置立体形状でも、ビニールシート等の膜材にテンションがかかり、膜材にかかるテンションによって低位置立体形状を維持する膜式建屋とすることができる。
【００１９】
本実施例の場合、高位置立体形状の各面を塞ぐ範囲は、図１に示した８面６ａ〜６ｄと８ａ〜８ｄであり、低位置立体形状の各面を塞ぐ範囲は、図５に示した８面６ａ〜６ｄと８ａ〜８ｄである。図１の４面６ａ〜６ｄと、図５の４面６ａ〜６ｄは等しい。図１の４面８ａ〜８ｄに、図５の４面８ａ〜８ｄが含まれる。両者のブーリアン和は、図１に示した８面６ａ〜６ｄと８ａ〜８ｄである。ビニールシート等の膜材は、ブーリアン和の範囲に広がっており、高位置でも低位置でも、膜式建屋の面を塞ぎ続けることができる。
【００２０】
柱２は、基礎を地面に固定した定置型でもよいし、土台毎移動できる自立型でもよい。
特許第３４５５２２１号に開示されている骨組み構造体を利用することもできる。この構造体は、多段のリンクを上下方向に連続した構造であり、その構造を利用すると、低所作業だけで柱２を高く伸ばすことができる。利用可能な柱は、上記のリンク構造を利用するものに限定されない。同心状に配置した複数本の筒状柱を利用するもの、三脚の接地トライアングルを狭めることで背を高くする柱等、種々の柱が利用可能である。図４は、三脚２２ａ，２２ｂ，２２ｃの接地トライアングルを狭めることで背を高くする柱の一例を示している。接地トライアングルを狭め易くするために、三脚２２ａ，２２ｂ，２２ｃの下端に、キャスタ２４ａ，２４ｂ，２４ｃが取り付けられている。リンク機構２６ａ，２６ｂ，２６ｃを利用することで三脚２２ａ〜２２ｃの傾斜角が中心軸に対して対称に変化するようにしている。参照番号３４はベースプレートであり、参照番号３６はベースプレート３４に固定された直立柱である。参照番号２８は直立柱３６に沿って上下動するリングである。リンク機構２６ａ〜２６ｃの下端はリング２８に接続されており、上端は三脚２２ａ〜２２ｃの中間位置に接続されている。これによって、三脚２２ａ〜２２ｃの傾斜角は直立柱３６に対して対称に変化する。参照番号３０は、直立柱３６に沿って上下動するリングであり、三脚２２ａ〜２２ｃの上端はリング３０に接続されている。三脚２２ａ〜２２ｃの傾斜角を垂直に近づけて接地トライアングルを狭めると、リング３０は直立柱３６に沿って上昇する。参照番号３２は、直立柱３６に案内された状態で上下動する可動柱であり、リング３０に固定されている。リング３０が上昇すると可動柱３２が上昇する。本実施例では、柱２が高さを変えても柱２の位置は変わらない構造となっている。
本実施例の柱２は、三脚２２ａ〜２２ｃの下端を接近させれば高くなり、下端を離間させれば低くなり、最高高さと最低高さの間の任意の中間高さに調整してその中間高さに固定することができる。また、三脚２２ａ〜２２ｃの下端が常に接地した状態で高さを変えることができ、柱２の下端を持ち上げる必要がない。これによって高さを変える作業が容易化されている。
柱２は、最低高さに調整した場合も自立し、最高高さに調整した場合も自立し、中間高さに調整した場合も自立している。ここでいう自立とは、強風が作用した場合を除いて自立することをいう。自立している柱であることから、高さの調整作業が簡単化できる。
柱２は、少なくとも高さが上昇して膜材にテンションがかかるまでの間自立しているものであればよい。膜材にテンションがかかるまで高くなってしまうと、柱２自体では自立できないものであってもよい。膜材にテンションがかかれば、柱単独では自立できなくても、テンションのかかった膜材によって柱が立ち続ける。高さが上昇して膜材にテンションがかかるまでの間自立していれば、建屋の高さを変える作業の間に柱が倒壊しないようにする労力が不要であり、高さを変える作業が容易化される。
【００２１】
図１と図５に示す膜式建屋は、図１に示す高位置立体形状と、図５に示す低位置立体形状の間で高さを連続的に変えることができる。作業者が膜式建屋内に入って作業する状態では図１の高位置立体形状とし、作業終了後には図５の低位置立体形状にして暖房容積を縮小するといったことが可能となる。あるいは強風に対処することが可能となる。植物の丈の成長に合わせ、図５の低位置立体形状から徐々に高さを高くしていくこともできる。
【００２２】
（第２実施例）
上記では上部フレーム４ａと下部フレーム４ｂに分割しているが、側面の高さが高く、途中で支えを必要とする場合には、図６に示すように、中間フレーム４ｆを追加してもよい。中間フレーム４ｆを利用して床４０を張ってもよい。２階建ての膜式建屋を構成することができる。
【００２３】
（第３実施例）
第１実施例では、上部フレーム４ａと下部フレーム４ｂに分割したが、図７と図８に示すように、単一の兼用フレーム４ｃを用いてもよい。この場合は、側面がなく、屋根だけで構成される膜式建屋となる。屋根が傾斜角を変えることで高さを変える。図７は、柱２を高くのばした状態を示し、屋根の傾斜角が急になり、膜式建屋の高さが高い状態を示す。図８は、柱２を縮めた状態を示し、屋根の傾斜角が平坦になり、膜式建屋の高さが低い状態を示す。
【００２４】
図１０の白抜き部分は、図８に示した低位置立体形状の面を塞ぐのに必要な範囲を示している。図１２の白抜き部分は、図７に示した高位置立体形状の面を塞ぐのに必要な範囲を示している。図９は、図１０の白抜き部分と図１２の白抜き部分のブーリアン和を示している。正確には、ブーリアン和を含む範囲を示している。図１２の外形に等しいものを示している。本実施例の膜式建屋は、図９に示すサイズと形状のビニールシート等の膜材を利用する。
【００２５】
図１０のハッチ部は、図８に示した低位置立体形状の面を塞ぐのに不必要な範囲を示している。低位置立体形状とする場合には、図１１に示すように、フレーム４ｃに用意されている巻き取りローラを利用してハッチ部を巻き取る。低位置立体形状とした場合でもビニールシート等の膜材にテンションを掛けることができる。
【００２６】
図１２のハッチ部は、図７に示した高位置立体形状の面を塞ぐのに不必要な範囲を示している。高位置立体形状とする場合には、図１３に示すように、巻き取りローラからビニールシート等の膜材を引き出す。高位置立体形状とした場合には、ワイヤ１０ａ〜１０ｄに沿った位置で、ビニールシート等の膜材が余る。余ったビニールシート等の膜材が邪魔になる場合には、適宜な手段で束ねる。高位置立体形状とした場合でも、ビニールシート等の膜材にテンションを掛けて展開しておくことができる。
【００２７】
（第４実施例）
図１３は、上部フレーム４ｄと下部フレーム４ｅによって取り囲まれる範囲に２本の柱２ａ，２ｂを配置し、２本の柱２ａ，２ｂで上部フレーム４ｄを吊り上げる例を示している。この場合、柱２ａには高くなると柱位置が矢印Ａ方向に移動し、柱２ｂには高くなると柱位置が矢印Ｂ方向に移動する柱を用いることが好ましい。上記によると、ワイヤ類に作用するテンションと、ビニールシート等の膜材に作用するテンションを場所によらないで均質化しやすい。図４に示した三脚２２ａ〜２２ｃのうちの一本の下端位置を固定すると、柱２の高さによって柱位置を移動させることができる。
【００２８】
（第５実施例）
図１５は、複数個のフレームを行列に沿って並列に配置した例を示す。屋根の輪郭が複数個のフレームの配置範囲の外周で規定される大規模膜式建屋を構成することも可能である。
大規模膜式建屋を構成する場合には、各フレームの平面形状を長方形、正方形または正六角形とすることが好ましい。上記のいずれかであると、フレームを隙間なく並置することが可能となる。
フレームを吊り下げるワイヤは、吊り下げたフレームが傾かない３箇所以上で吊り下げればよい。例えば、六角形のフレームを吊り下げる場合、１個のおきの３頂点で吊り下げれば、フレームが傾くことがない。あるいは、１個置きの辺の中点で吊り下げてもよい。
【００２９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３０】
２：高さを変える柱
４：フレーム
６ａ，６ｂ，６ｃ，６ｄ：屋根を構成する４面
８ａ，８ｂ，８ｃ，８ｄ：側面を構成する４面
１０ａ，１０ｂ，１０ｃ，１０ｄ：フレーム頂点を吊り上げるワイヤ
１２ａ，１２ｂ，１２ｃ，１２ｄと１４ａ，１４ｂ，１４ｃ，１４ｄ：上下のフレームを結ぶワイヤ
２２ａ，２２ｂ，２２ｃ：三脚
２４ａ，２４ｂ，２４ｃ：キャスタ
２６ａ，２６ｂ，２６ｃ：リンク
２８：リング
３０：リング
３２：可動柱
３４：ベースプレート
３６：直立柱
【図１】
2016196786.tif 000003
【図２】
2016196786.tif 000004
【図３】
2016196786.tif 000005
【図４】
2016196786.tif 000006
【図５】
2016196786.tif 000007
【図６】
2016196786.tif 000008
【図７】
2016196786.tif 000009
【図８】
2016196786.tif 000010
【図９】
2016196786.tif 000011
【図１０】
2016196786.tif 000012
【図１１】
2016196786.tif 000013
【図１２】
2016196786.tif 000014
【図１３】
2016196786.tif 000015
【図１４】
2016196786.tif 000016
【図１５】
2016196786.tif 000017